(57)【要約】  音質の向上を図ることができるスピーカー装置を提供する。本発明の一形態に係るスピーカー装置は、振動発生装置（１）と、棒状部材（２）と、音発生体（３）を備える。振動発生装置（１）は、電気信号を受けて振動する。棒状部材（２）の長手方向の一端が、振動発生装置（１）に固定される。音発生体（３）は、棒状部材（２）の一部に取り付けられる。音発生体（３）は、繊維構造を有する振動伝達部（３０）と、繊維構造を有するシート状の振動板（３１）を一体に含む。振動伝達部（３０）と振動板（３１）は、互いの繊維方向が交差している。
2017072814.tif 000002
【特許請求の範囲】
【請求項１】
電気信号を受けて振動する振動発生装置と、
前記振動発生装置に長手方向の一端が固定される棒状部材と、
前記棒状部材の一部に取り付けられた音発生体と、を備え、
前記音発生体は、
繊維構造を有する振動伝達部と、
繊維構造を有するシート状の振動板とを一体に含み、
前記振動伝達部と前記振動板は、互いの繊維方向が交差していることを特徴とするスピーカー装置。
【請求項２】
前記振動伝達部は、前記音発生体の一部分に位置し、
前記一部分が、前記棒状部材に取り付けられていることを特徴とする請求項１に記載のスピーカー装置。
【請求項３】
前記振動板は、繊維構造を有する第一の可撓性シートと、繊維構造を有する第二の可撓性シートを含み、
前記第一の可撓性シートの繊維方向の一端部と、前記第二の可撓性シートの繊維方向の一端部と、前記振動伝達部とが重なっていることを特徴とする請求項１または２に記載のスピーカー装置。
【請求項４】
前記振動板は、繊維構造を有する１枚の可撓性シートを含み、
前記１枚の可撓性シートの一部が、前記１枚の可撓性シートの他の部分に、互いの繊維方向が交差するように重なり、
前記１枚の可撓性シートの前記他の部分が、前記振動伝達部を構成していることを特徴とする請求項１または２に記載のスピーカー装置。
【請求項５】
前記可撓性シートは、２枚の木質シートと、和紙とを含み、
前記２枚の木質シートは、気乾材で構成され、
前記和紙は、前記２枚の木質シートの間に位置し、前記２枚の木質シートの各々に接着されていることを特徴とする請求項３または４に記載のスピーカー装置。
【請求項６】
前記棒状部材は、自身の繊維方向が長手方向である気乾材であり、
前記音発生体は、前記棒状部材の長手方向の他端に取り付けられていることを特徴とする請求項１乃至５のいずれか１項に記載のスピーカー装置。
【発明の詳細な説明】
【技術分野】
【０００１】
本発明は、スピーカー装置に関する。
【背景技術】
【０００２】
日本国公開特許公報２００９−１５９２４８号には、スピーカー装置が記載されている。このスピーカー装置は、音源から発生した振動を、棒状部材を介してはね部材に伝達させる。これにより、はね部材から音が放射される。
【発明の概要】
【０００３】
本発明は、音質の向上を図ることができるスピーカー装置を提供することを、目的とする。
【０００４】
本発明の一形態に係るスピーカー装置は、振動発生装置と、棒状部材と、音発生体を備える。前記振動発生装置は、電気信号を受けて振動する。前記棒状部材の長手方向の一端が、前記振動発生装置に固定される。前記音発生体は、前記棒状部材の一部に取り付けられる。前記音発生体は、繊維構造を有する振動伝達部と、繊維構造を有するシート状の振動板を一体に含む。前記振動伝達部と前記振動板は、互いの繊維方向が交差している。
【図面の簡単な説明】
【０００５】
【図１】第一形態のスピーカー装置を示す斜視図である。
【図２】第一形態のスピーカー装置が備える音発生体を示す斜視図である。
【図３】第一形態のスピーカー装置が備える可撓性シートを示す分解図である。
【図４】第一形態のスピーカー装置が備える振動発生装置を概略的に示す断面図である。
【図５】第二形態のスピーカー装置を示す斜視図である。
【図６】第二形態のスピーカー装置が備える第一音発生体を示す斜視図である。
【図７】第一音発生体に含まれる可撓性シートを示す平面図である。
【発明を実施するための形態】
【０００６】
図１〜図４は、本発明の第一形態のスピーカー装置を示している。
【０００７】
図１に示すように、本形態のスピーカー装置は、振動発生装置１と、棒状部材２と、音発生体３を備える。振動発生装置１は、電気信号を受けて振動する。棒状部材２の長手方向の一端が、振動発生装置１に固定される。音発生体３は、棒状部材２の一部に取り付けられる。
【０００８】
以下では、図１に示す状態を基準として、各構成について説明する。図１では、棒状部材２の長手方向が上下方向であり、平面視における音発生体３の長手方向が左右方向であり、平面視における音発生体３の短手方向が前後方向である。各図において、矢印Ｘ１が前方を向き、矢印Ｙ１が右方を向き、矢印Ｚ１が上方を向いている。
【０００９】
棒状部材２は、繊維構造を有し、自身の繊維方向が長手方向である。本形態では、棒状部材２は、樹木の枝の気乾材である。なお、気乾材とは、平衡含水率まで乾燥させた木材を意味する。棒状部材２の下端部が、振動発生装置１に着脱自在に固定される。図４に示すように、棒状部材２の下端部は、振動発生装置１が有する固定部１０に設けられた差込穴１１に、合致する形状である。棒状部材２は、その上端部（長手方向の他端）に溝２０を有する。溝２０には、音発生体３が着脱自在に取り付けられる。棒状部材２は、下端部が固定端となり、上端部が自由端となり、固定端が振動発生装置１に固定され、自由端に音発生体３が取り付けられる。
【００１０】
図１及び図２に示すように、音発生体３は、繊維構造を有する振動伝達部３０と、繊維構造を有するシート状の振動板３１を一体に含む。振動伝達部３０と振動板３１は、互いの繊維方向が交差している。
【００１１】
振動伝達部３０は、薄板であり、自身の繊維方向が長手方向である。本形態では、振動伝達部３０は、矩形状の薄板である。例えば、振動伝達部３０は、平衡含水率まで乾燥させた無垢材を薄くスライスして形成される。振動伝達部３０の長手方向の長さは、振動板３１の短手方向の長さと略同じである。振動伝達部３０の短手方向の長さは、溝２０の深さ（上下方向の長さ）と略同じである。振動伝達部３０の厚みは、例えば、０．２〜２．０ｍｍである。
【００１２】
振動板３１は、繊維構造を有する第一の可撓性シート３２と、繊維構造を有する第二の可撓性シート３３を含む。第一の可撓性シート３２の繊維方向の一端部と、第二の可撓性シート３３の繊維方向の一端部と、振動伝達部３０とが、互いに重なっている。本形態では、振動伝達部３０は、第一の可撓性シート３２の繊維方向の一端部と、第二の可撓性シート３３の繊維方向の一端部との間に挟まれた状態で、第一の可撓性シート３２と第二の可撓性シート３３の各々に対して接着されている。
【００１３】
第一の可撓性シート３２と第二の可撓性シート３３の各々は、矩形状であり、かつ自身の繊維方向が長手方向である。第一の可撓性シート３２と第二の可撓性シート３３は、本形態では、形状と大きさが互いに同一である。
【００１４】
図３に示すように、第一の可撓性シート３２と第二の可撓性シート３３の各々は、２枚の木質シート３４，３５と、１枚の和紙３６を含む。
【００１５】
２枚の木質シート３４，３５の各々は、矩形状であり、かつ自身の繊維方向が長手方向である。例えば、２枚の木質シート３４，３５の各々は、平衡含水率まで乾燥させた無垢材を、０．２ｍｍ厚程度に薄くスライスして形成される。２枚の木質シート３４，３５の各々は、左右方向が自身の長手方向であり、かつ前後方向が自身の短手方向である。
【００１６】
和紙３６は、矩形状である。和紙３６は、２枚の木質シート３４，３５と略同じ左右長さと前後長さを有する。和紙３６は、２枚の木質シート３４，３５の間に位置し、２枚の木質シート３４，３５の各々に接着されている。
【００１７】
可撓性シート３２，３３の各々は、両面に接着層がある和紙３６を、２枚の木質シート３４，３５の間に挟み込み、熱加圧ローラーで全体をプレスすることで形成される。このとき、２枚の木質シート３４，３５は、互いの繊維方向が略平行となるように重ねられる。可撓性シート３２，３３の厚みは、例えば、０．４ｍｍ〜２．０ｍｍである。
【００１８】
振動発生装置１は、電気信号を受けて振動する装置であり、周知のアクチュエーター等が適用可能である。
【００１９】
図４に示すように、振動発生装置１は、ケース１２と、コイル１３と、磁石１４と、キャップ１５と、駆動部材１６と、増幅板１７と、固定部１０と、リング状の弾性部材１８を備える。コイル１３は、キャップ１５の下面に固定され、駆動部材１６は、キャップ１５の上面に固定されている。増幅板１７は、駆動部材１６の上端に固定され、固定部１０は、増幅板１７の上面に固定されている。コイル１３、キャップ１５、駆動部材１６、増幅板１７、及び固定部１０は、互いの中心軸が、一致または略一致するように一体化されている。固定部１０の中心軸上には、差込穴１１が位置する。ケース１２には、棒状部材２の下端部が挿通される挿通孔１２０が設けられている。この挿通孔１２０に、リング状の弾性部材１８が嵌め込まれている。
【００２０】
振動発生装置１では、外部の出力機器からの電気信号を受けると、コイル１３に電気信号に対応した電流が流れて、磁石１４が及ぼす磁界の影響でコイル１３が上下に振動する。コイル１３の振動は、キャップ１５を介して駆動部材１６に伝達され、駆動部材１６の振動は増幅板１７に伝達される。増幅板１７に伝達された振動は、増幅板１７によって増幅されたうえで固定部１０に伝達され、固定部１０の振動が棒状部材２に伝達される。棒状部材２と振動発生装置１は、互いの中心軸が一致または略一致するように固定されているので、振動発生装置１で生じた振動は棒状部材２にまで効率よく伝達される。
【００２１】
以上説明した本形態のスピーカー装置は、例えば、以下のように組み立てて使用することができる。
【００２２】
まず、振動発生装置１の固定部１０の差込穴１１に、棒状部材２の下端部を差し込んで、振動発生装置１に棒状部材２を固定する。
【００２３】
次いで、棒状部材２の上端の溝２０に、音発生体３の一部分を差し込んで、棒状部材２に音発生体３を取り付ける。このとき、第一の可撓性シート３２の繊維方向の一端部と、第二の可撓性シート３３の繊維方向の一端部と、振動伝達部３０とが、溝２０内に配される。
【００２４】
次いで、可撓性シート３２，３３の各々を変形させて、好みの形状に変えてもよい。本形態では、可撓性シート３２，３３の各々は、自重によって上方に凸の略円弧状に変形する。
【００２５】
次いで、出力機器から振動発生装置１に電気信号を送って、振動発生装置１を振動させ、音発生体３から音を発生させる。出力機器とは、音響機器のアンプ、パソコン、テレビ、携帯音楽プレーヤー、携帯電話、スマートフォン等である。
【００２６】
以上説明した本形態のスピーカー装置では、図２に示すように、音発生体３が、振動伝達部３０と可撓性シート３２，３３を一体に含み、振動伝達部３０と可撓性シート３２，３３が、互いの繊維方向が交差するように重なっている。そのため、棒状部材２から伝達される振動は、振動伝達部３０を通じて、可撓性シート３２，３３の繊維方向に交差する方向（前後方向）に効率よく拡げられる。振動伝達部３０を通じて拡げられた振動は、可撓性シート３２，３３の繊維方向（左右方向）に沿ってさらに拡げられる。したがって、本形態のスピーカー装置では、可撓性シート３２，３３各々の全体に振動が伝わりやすく、広い領域から音を放射することができるので、音質の向上を図ることができる。
【００２７】
また、本形態のスピーカー装置では、音発生体３のうち、振動伝達部３０の位置する部分が、棒状部材２の溝２０に取り付けられている。そのため、棒状部材２から伝わる振動が、振動伝達部３０を通じて、前後方向に速やかに伝達される。したがって、本形態のスピーカー装置では、可撓性シート３２，３３の全体に効率よく振動が伝えられる。
【００２８】
また、本形態のスピーカー装置では、２枚の可撓性シート３２，３３の各々をしならせることができる。２枚の可撓性シート３２，３３の各々がしなることで、内部損失が大きくなり、音質が高められる。
【００２９】
また、本形態のスピーカー装置では、２枚の木質シート３４，３５が和紙３６によって補強されている。そのため、振動により２枚の木質シート３４，３５の各々が破損することが抑制される。また、可撓性シート３２，３３を変形させたときに２枚の木質シート３４，３５の各々が破損することが抑制される。また、このように２枚の木質シート３４，３５は和紙３６によって補強されているので、自重によるしなりが適切に保持される。適切なしなりによって、適切な内部損失が得られる。
【００３０】
また、本形態のスピーカー装置では、可撓性シート３２，３３の各々の表面（上面）と裏面（下面）の両方から音を放射することができる。
【００３１】
また、本形態のスピーカー装置では、棒状部材２の繊維方向が自身の長手方向であるため、振動発生装置１の振動が、棒状部材２の長手方向の一端から他端へと伝わりやすい。
【００３２】
また、本形態のスピーカー装置では、棒状部材２の長手方向の一端が固定端であり、他端が自由端である。固定端が振動発生装置１の固定部１０に固定され、自由端に音発生体３が取り付けられている。そのため、本形態のスピーカー装置では、振動発生装置１で生じた振動を棒状部材２によって大きくして、可撓性シート３２，３３の各々に伝えることができる。
【００３３】
また、本形態のスピーカー装置では、棒状部材２及び音発生体３がいずれも、天然の繊維材料で形成されており、高周波成分の少ない音を発生させることができる。
【００３４】
続いて、本形態のスピーカー装置の変形例について説明する。
【００３５】
本形態のスピーカー装置の棒状部材２は、繊維構造を有する他の天然の繊維材料で形成されてもよい。他の天然の繊維材料は、草木の茎，葉，枝，表皮を含んでもよいし、無垢材、竹等を含んでもよい。棒状部材２は、上記の他の天然の繊維材料を、金属やプラスチックの芯材で補強した部材でもよい。棒状部材２は、集成材や合板や木質繊維板を棒状にした部材でもよい。棒状部材２は、炭素繊維やＦＲＰなどのガラス繊維を強化して棒状に形成した部材でもよいし、紙や織物を強化して棒状に形成した部材でもよい。
【００３６】
本形態のスピーカー装置の音発生体３は、棒状部材２のうち溝２０以外の部分に取り付けられてもよい。
【００３７】
本形態のスピーカー装置の音発生体３は、２枚の可撓性シート３２，３３の繊維方向の一端部同士が重なり、２枚の可撓性シート３２，３３のうち一方の繊維方向の一端部の外側に、振動伝達部３０が位置する構造でもよい。
【００３８】
本形態のスピーカー装置の音発生体３のうち振動伝達部３０の位置しない部分が、棒状部材２に取り付けられてもよい。
【００３９】
本形態のスピーカー装置の可撓性シート３２，３３の各々は、繊維構造を有するシート状の部材に、プラスチック薄板や金属薄板が貼り合わせられた構造でもよい。繊維構造を有するシート状の部材には、棒状部材２を形成する上述の材料が適用可能である。
【００４０】
本形態のスピーカー装置の可撓性シート３２，３３の各々は、矩形状に限らず、半楕円形状等の他の形状でもよい。
【００４１】
続いて、図５〜７に示す本発明の第二形態のスピーカー装置について説明する。以下では、第一形態のスピーカー装置と同様の構成については図中に同じ符号を付して詳しい説明を省略し、第一形態のスピーカー装置と異なる構成について詳しく説明する。
【００４２】
本形態のスピーカー装置の棒状部材２は、複数の溝を備える。複数の溝は、第一溝２０ａと第二溝２０ｂと第三溝２０ｃを含む。第一溝２０ａは、棒状部材２の上端に位置する。第二溝２０ｂは、棒状部材２のうち第一溝２０ａよりも下方に位置する。第三溝２０ｃは、棒状部材２のうち第二溝２０ｂよりも下方に位置する。
【００４３】
本形態のスピーカー装置は、複数の音発生体を備える。複数の音発生体は、筒状の第一音発生体３ａと、筒状の第二音発生体３ｂと、帯状の第三音発生体３ｃを含む。第一音発生体３ａは、両端が開口した円錐台状である。第二音発生体３ｂは、両端が開口した円柱状（円筒状）である。
【００４４】
第一音発生体３ａは、繊維構造を有する振動伝達部３０ａと、繊維構造を有するシート状の振動板３１ａを一体に含む。振動板３１ａは、繊維構造を有する１枚の可撓性シート３７を含む。可撓性シート３７は、第一形態の可撓性シート３２，３３と同様の構造である。第一音発生体３ａでは、可撓性シート３７の一部と、可撓性シート３７の他の部分とが、互いの繊維方向が交差するように重なっている。可撓性シート３７の前記他の部分が、振動伝達部３０ａを構成している。
【００４５】
以下、振動伝達部３０ａについてより詳しく述べる。図６及び図７に示すように、可撓性シート３７は、一方の短辺を一辺とする正方形の領域Ａ１と、他方の短辺を一辺とする正方形の領域Ａ２とを含む。領域Ａ１と領域Ａ２とは、互いの繊維方向が交差するように、全体が重なる。この状態で、領域Ａ１と領域Ａ２のうちの一方が、振動伝達部３０ａを構成する。
【００４６】
領域Ａ１と領域Ａ２とは、部分的に重なってもよい。可撓性シート３７は、長手方向の一端側の領域と、長手方向の他端側の領域とが、互いの繊維方向が交差するように重なっていればよい。
【００４７】
第一音発生体３ａのうち、領域Ａ１と領域Ａ２が重なった部分が、第一溝２０ａに差し込まれる。つまり、第一音発生体３ａのうち、振動伝達部３０の位置する部分が、第一溝２０ａに差し込まれる。
【００４８】
図５に示すように、第二音発生体３ｂは、繊維構造を有する振動伝達部３０ｂと、繊維構造を有するシート状の振動板３１ｂを一体に含む。振動板３１ｂは、繊維構造を有する１枚の可撓性シート３８を含む。可撓性シート３８は、可撓性シート３７と同様の構造である。振動伝達部３０ｂは、可撓性シート３８とは別体である。
【００４９】
第二音発生体３ｂでは、可撓性シート３８の長手方向の一端部と他端部とが、互いの繊維方向が略平行となる状態で重なっている。振動伝達部３０ｂは、可撓性シート３８の長手方向の一端部と他端部との間に、挟まれている。振動伝達部３０ｂと可撓性シート３８とは、互いの繊維方向が交差する状態で重なっている。
【００５０】
第二音発生体３ｂの一部分では、可撓性シート３８の長手方向の一端部と他端部と振動伝達部３０ｂが重なっている。この一部分が、第二溝２０ｂに差し込まれる。つまり、第二音発生体３ｂのうち振動伝達部３０ｂの位置する部分が、第二溝２０ｂに差し込まれる。
【００５１】
第三音発生体３ｃは、繊維構造を有する振動伝達部３０ｃと、繊維構造を有するシート状の振動板３１ｃを一体に含む。振動板３１ｃは、繊維構造を有する１枚の帯状の可撓性シート３９を含む。可撓性シート３９は、可撓性シート３７，３８と同様の構造である。振動伝達部３０ｃは、可撓性シート３９とは別体である。
【００５２】
第三音発生体３ｃでは、振動伝達部３０ｃと、可撓性シート３９の長手方向の一端部が、互いの繊維方向が交差する状態で重なっている。
【００５３】
第三音発生体３ｃのうち、可撓性シート３９の長手方向の一端部と振動伝達部３０が重なった部分が、第三溝２０ｃに差し込まれる。つまり、第三音発生体３ｃのうち、振動伝達部３０の位置する部分が、第三溝２０ｃに差し込まれる。
【００５４】
上述したように、本形態のスピーカー装置においては、３つの音発生体３ａ，３ｂ，３ｃのそれぞれが、振動伝達部３０ａ，３０ｂ，３０ｃと可撓性シート３７，３８，３９を一体に含んでおり、振動伝達部３０ａ，３０ｂ，３０ｃと可撓性シート３７，３８，３９が、互いの繊維方向が交差するように重なっている。棒状部材２から伝達される振動は、振動伝達部３０ａ，３０ｂ，３０ｃを通じて、可撓性シート３７，３８，３９の繊維方向に交差する方向（前後方向）に効率よく拡げられる。振動伝達部３０ａ，３０ｂ，３０ｃを通じて拡げられた振動は、可撓性シート３７，３８，３９の繊維方向（左右方向）に沿ってさらに拡げられる。したがって、本形態のスピーカー装置では、可撓性シート３７，３８，３９の全体に振動が伝わりやすく、広い領域から音を放射することができるので、音質の向上を図ることができる。
【００５５】
また、本形態のスピーカー装置では、曲面形状が互いに異なる３つの音発生体３ａ，３ｂ，３ｃの各々から、音を発生させることによって、音域の拡大を図ることができ、また、音の方向性の多様化を図ることができる。
【００５６】
また、本形態のスピーカー装置においては、第一音発生体３ａの振動板３１ａ（可撓性シート３７）の一部が振動伝達部３０ａを兼ねる。そのため、第一音発生体３ａでは、振動伝達部３０ａを別部材で構成する必要がない。
【００５７】
続いて、本形態のスピーカー装置の変形例について説明する。
【００５８】
本形態のスピーカー装置の３つの音発生体３ａ，３ｂ，３ｃと、これらを取り付ける３つの溝２０ａ，２０ｂ，２０ｃとの組み合せは、上述した組み合せに限らず、他の組み合せでもよい。
【００５９】
本形態のスピーカー装置は、３つの音発生体３ａ，３ｂ，３ｃのうち、いずれか１つまたは２つを備えてもよい。
【００６０】
本形態のスピーカー装置は、第一形態の音発生体３をさらに備えてもよい。
【００６１】
以上、添付図面に基づいて説明したように、第一及び第二形態のスピーカー装置は、振動発生装置（１）と、棒状部材（２）と、音発生体（３，３ａ，３ｂ，３ｃ）を備える。振動発生装置（１）は、電気信号を受けて振動する。棒状部材（２）の長手方向の一端が振動発生装置（１）に固定される。音発生体（３，３ａ，３ｂ，３ｃ）は、棒状部材（２）の一部に取り付けられる。音発生体（３，３ａ，３ｂ，３ｃ）は、繊維構造を有する振動伝達部（３０，３０ａ，３０ｂ，３０ｃ）と、繊維構造を有するシート状の振動板（３１，３１ａ，３１ｂ，３１ｃ）とを一体に含む。振動伝達部（３０，３０ａ，３０ｂ，３０ｃ）と振動板（３１，３１ａ，３１ｂ，３１ｃ）は、互いの繊維方向が交差している。
【００６２】
したがって、第一及び第二形態のスピーカー装置では、棒状部材（２）から伝わる振動が、振動伝達部（３０，３０ａ，３０ｂ，３０ｃ）を通じて、シート状の振動板（３１，３１ａ，３１ｂ，３１ｃ）の繊維方向に交差する方向に効率よく拡げられる。振動伝達部（３０，３０ａ，３０ｂ，３０ｃ）を通じて拡げられた振動は、振動板（３１，３１ａ，３１ｂ，３１ｃ）の繊維方向に沿ってさらに拡げられる。これにより、第一及び第二形態のスピーカー装置では、振動板（３１，３１ａ，３１ｂ，３１ｃ）の全体に振動が伝わりやすく、広い領域から音を放射させることができるので、音質の向上を図ることができる。
【００６３】
また、第一及び第二形態のスピーカー装置では、振動伝達部（３０，３０ａ，３０ｂ，３０ｃ）が、音発生体（３，３ａ，３ｂ，３ｃ）の一部分に位置する。この一部分が、棒状部材（２）に取り付けられている。
【００６４】
したがって、第一及び第二形態のスピーカー装置では、棒状部材（２）から伝わる振動が、振動伝達部（３０，３０ａ，３０ｂ，３０ｃ）を通じて、シート状の振動板（３１，３１ａ，３１ｂ，３１ｃ）の繊維方向と交差する方向に速やかに伝達される。これにより、第一及び第二形態のスピーカー装置では、音発生体（３，３ａ，３ｂ，３ｃ）の全体に効率よく振動が伝えられる。
【００６５】
また、第一形態のスピーカー装置では、振動板（３１）が、繊維構造を有する第一の可撓性シート（３２）と、繊維構造を有する第二の可撓性シート（３３）を含む。第一の可撓性シート（３２）の繊維方向の一端部と、第二の可撓性シート（３３）の繊維方向の一端部と、振動伝達部（３０）とが重なっている。
【００６６】
したがって、第一形態のスピーカー装置では、棒状部材（２）から伝わる振動が、振動伝達部（３０）を通じて、第一の可撓性シート（３２）と第二の可撓性シート（３３）の各々の繊維方向の一端部の全体に伝わる。振動伝達部（３０）を通じて拡げられた振動は、第一の可撓性シート（３２）と第二の可撓性シート（３３）の各々の繊維方向に沿ってさらに拡げられる。これにより、第一形態のスピーカー装置では、第一の可撓性シート（３２）と第二の可撓性シート（３３）の各々の全体に、振動を効率よく伝達させることができる。
【００６７】
また、第二形態のスピーカー装置では、振動板（３１ａ）が、繊維構造を有する１枚の可撓性シート（３７）を含む。１枚の可撓性シート（３７）の一部が、１枚の可撓性シート（３７）の他の部分に、互いの繊維方向が交差するように重なる。１枚の可撓性シート（３７）の前記他の部分が、振動伝達部（３０ａ）を構成している。
【００６８】
したがって、第二形態のスピーカー装置では、振動伝達部（３０ａ）を振動板（３１ａ）とは別部材で構成する必要がなくて、部品を減らすことができる。第二形態のスピーカー装置では、１枚の可撓性シート（３７）のうち重ね合わさる部分の位置や大きさを調整することで、放出する音の音域を調整することができる。
【００６９】
また、第一及び第二形態のスピーカー装置においては、可撓性シート（３２，３３，３７，３８，３９）は、２枚の木質シート（３４，３５）と、和紙（３６）を含む。２枚の木質シート（３４，３５）は、気乾材で構成される。和紙（３６）は、２枚の木質シート（３４，３５）の間に位置し、２枚の木質シート（３４，３５）の各々に接着されている。
【００７０】
したがって、第一及び第二形態のスピーカー装置では、２枚の木質シート（３４，３５）が和紙（３６）によって補強されるため、振動により２枚の木質シート（３４，３５）が破損することが抑制される。第一及び第二形態のスピーカー装置では、可撓性シート（３２，３３，３７，３８，３９）が変形したときに２枚の木質シート（３４，３５）が破損することが抑制される。第一及び第二形態のスピーカー装置では、可撓性シート（３２，３３，３７，３８，３９）の表面と裏面の両方から音を放射することができる。
【００７１】
また、第一及び第二形態のスピーカー装置において、棒状部材（２）は、自身の繊維方向が長手方向である気乾材である。音発生体（３，３ａ）は、棒状部材（２）の長手方向の他端に取り付けられている。
【００７２】
したがって、第一及び第二形態のスピーカー装置は、振動発生装置（１）の振動が、棒状部材（２）の長手方向の一端から他端へと伝わりやすい。第一及び第二形態のスピーカー装置では、棒状部材（２）の長手方向の一端が固定端であり、他端が自由端であり、固定端が振動発生装置（１）に固定され、自由端に音発生体（３，３ａ）が取り付けられている。そのため、第一及び第二形態のスピーカー装置では、振動発生装置（１）の振動を棒状部材（２）によって大きくして、音発生体（３，３ａ）へ伝えることができる。
【００７３】
以上、本発明を添付図面に示す実施形態に基づいて説明したが、本発明は前記各例の実施形態に限定されるものではなく、本発明の意図する範囲内であれば、適宜の設計変更を行うことが可能である。
【図１】
2017072814.tif 000003
【図２】
2017072814.tif 000004
【図３】
2017072814.tif 000005
【図４】
2017072814.tif 000006
【図５】
2017072814.tif 000007
【図６】
2017072814.tif 000008
【図７】
2017072814.tif 000009
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
電気信号を受けて振動する振動発生装置と、
前記振動発生装置に長手方向の一端が固定される棒状部材と、
前記棒状部材の一部に取り付けられた音発生体と、を備え、
前記音発生体は、
繊維構造を有する木質の薄板と、
繊維構造を有する第一の可撓性シートと、
繊維構造を有する第二の可撓性シートと、を一体に含み、
前記第一の可撓性シートと前記第二の可撓性シートのそれぞれは、２枚の木質シートと、和紙とを含み、前記２枚の木質シートは、気乾材で構成され、前記和紙は、前記２枚の木質シートの間に位置し、前記２枚の木質シートの各々に接着され、
前記第一の可撓性シートの繊維方向と前記薄板の繊維方向とが交差し、かつ前記第二の可撓性シートの繊維方向と前記薄板の繊維方向とが交差するように、前記第一の可撓性シートの繊維方向の一端部と、前記第二の可撓性シートの繊維方向の一端部と、前記薄板とが、重なり、
前記音発生体のうち、前記第一の可撓性シートと前記第二の可撓性シートと前記薄板とが重なった部分が、前記棒状部材に取り付けられることを特徴とするスピーカー装置。
【請求項２】
前記薄板は、自身の長手方向に沿った繊維方向を有し、
前記第一の可撓性シートと前記第二の可撓性シートのそれぞれは、自身の長手方向に沿った繊維方向を有し、
前記第一の可撓性シートの繊維方向と前記薄板の繊維方向とが交差し、かつ前記第二の可撓性シートの繊維方向と前記薄板の繊維方向とが交差するように、前記第一の可撓性シートの長手方向の一端部と前記第二の可撓性シートの長手方向の一端部との間に前記薄板が、重なることを特徴とする請求項１に記載のスピーカー装置。
【請求項３】
電気信号を受けて振動する振動発生装置と、
前記振動発生装置に長手方向の一端が固定される棒状部材と、
前記棒状部材の一部に取り付けられた音発生体と、を備え、
前記音発生体は、繊維構造を有する１枚の可撓性シートを含み、
前記可撓性シートは、２枚の木質シートと、和紙とを含み、前記２枚の木質シートは、気乾材で構成され、前記和紙は、前記２枚の木質シートの間に位置し、前記２枚の木質シートの各々に接着され、
前記１枚の可撓性シートの一部が、前記１枚の可撓性シートの他の部分に、互いの繊維方向が交差するように重なり、
前記音発生体のうち、前記一部と前記他の部分が重なった部分が、前記棒状部材に取り付けられることを特徴とするスピーカー装置。
【請求項４】
前記可撓性シートは、自身の長手方向に沿った繊維方向を有し、
前記１枚の可撓性シートは、その長手方向の一部が、その長手方向の他の部分に、互いの繊維方向が交差するように重なって筒状をなすことを特徴とする請求項３に記載のスピーカー装置。
【請求項５】
前記棒状部材は、自身の繊維方向が長手方向である気乾材であり、
前記音発生体は、前記棒状部材の長手方向の他端に取り付けられていることを特徴とする請求項１乃至４のいずれか１項に記載のスピーカー装置。
【手続補正２】
【補正対象書類名】明細書
【補正対象項目名】０００４
【補正方法】変更
【補正の内容】
【０００４】
本発明の一形態に係るスピーカー装置は、振動発生装置と、棒状部材と、音発生体を備える。前記振動発生装置は、電気信号を受けて振動する。前記棒状部材の長手方向の一端が、前記振動発生装置に固定される。前記音発生体は、前記棒状部材の一部に取り付けられる。前記音発生体は、繊維構造を有する木質の薄板と、繊維構造を有する第一の可撓性シートと、繊維構造を有する第二の可撓性シートと、を一体に含む。前記第一の可撓性シートと前記第二の可撓性シートのそれぞれは、２枚の木質シートと、和紙とを含む。前記２枚の木質シートは、気乾材で構成される。前記和紙は、前記２枚の木質シートの間に位置し、前記２枚の木質シートの各々に接着されている。前記第一の可撓性シートの繊維方向と前記薄板の繊維方向とが交差し、かつ前記第二の可撓性シートの繊維方向と前記薄板の繊維方向とが交差するように、前記第一の可撓性シートの繊維方向の一端部と、前記第二の可撓性シートの繊維方向の一端部と、前記薄板とが、重なる。前記音発生体のうち、前記第一の可撓性シートと前記第二の可撓性シートと前記薄板とが重なった部分が、前記棒状部材に取り付けられる。
また、本発明の他の一態様に係るスピーカー装置は、振動発生装置と、棒状部材と、音発生体を備える。前記振動発生装置は、電気信号を受けて振動する。前記棒状部材の長手方向の一端が、前記振動発生装置に固定される。前記音発生体は、前記棒状部材の一部に取り付けられる。前記音発生体は、繊維構造を有する１枚の可撓性シートを含む。前記可撓性シートは、２枚の木質シートと、和紙とを含む。前記２枚の木質シートは、気乾材で構成される。前記和紙は、前記２枚の木質シートの間に位置し、前記２枚の木質シートの各々に接着されている。前記１枚の可撓性シートの一部が、前記１枚の可撓性シートの他の部分に、互いの繊維方向が交差するように重なる。前記音発生体のうち、前記一部と前記他の部分が重なった部分が、前記棒状部材に取り付けられる。
【国際調査報告】
2017072814.tif 000010
2017072814.tif 000011
2017072814.tif 000012
2017072814.tif 000013